(57)【要約】【課題】プリント配線基板を挿着した状態でプリント配線基板を持ち上げても外れることがなく、実装場所に制約を受けることがなく設計の自由度が向上されるコネクタ装置を提供する。【解決手段】プリント配線基板５の導体パターンを弾性接触部２ｃに押圧してプリント配線基板５をハウジング１内に挟持するレバー４の一端側に挟持部４ｆを設けると共に、他端側にロック部４ｇを形成し、レバー４が押圧操作されてロック部４ｇがロックされるのに伴って、挟持部４ｆが押圧手段２ｄに当接し、挟持部４ｆが押圧手段２ｄの押圧力に抗する方向に移動することにより挟持部４ｆがプリント配線基板５を押圧してハウジング１内に挟持するようにした。【選択図】        図５
2004235115.tif 000002
【特許請求の範囲】
【請求項１】
開口部を有するハウジングと、このハウジングの開口部に配設され、挿入されるプリント配線基板の導体パターンに接触する弾性接触部を有する接触端子と、前記プリント配線基板の導体パターンを前記弾性接触部に押圧して前記プリント配線基板を前記ハウジング内に挟持する挟持部を有するレバーと、弾性力を有し前記挟持部に押圧力を付与する押圧手段とを備え、前記レバーは、一端側に前記挟持部が設けられると共に、他端側にロック部が形成され、前記レバーが押圧操作されて前記ロック部がロックされるのに伴って、前記挟持部が前記押圧手段に当接し、前記挟持部が前記押圧手段の押圧力に抗する方向に移動することにより前記挟持部が前記プリント配線基板を押圧して前記ハウジング内に挟持するようにしたことを特徴とするコネクタ装置。
【請求項２】
前記接触端子と前記押圧手段は、一体の金属板材で形成され、前記接触端子を構成する一方のアーム部の自由端側に前記弾性接触部を形成し、前記押圧手段を構成する他方のアーム部の自由端側に前記レバーの挟持部を押圧する押圧部を形成すると共に、基部側に前記レバーをロックするロック部を形成したことを特徴とする請求項１記載のコネクタ装置。
【請求項３】
前記押圧部は、弾性を有する前記他方のアーム部の自由端側に形成された傾斜面からなり、前記レバーの挟持部には円弧面が形成され、前記挟持部の円弧面が前記押圧部の傾斜面を摺動することにより前記挟持部が前記プリント配線基板を押圧して前記ハウジング内に挟持するようにしたことを特徴とする請求項２記載のコネクタ装置。
【請求項４】
前記ハウジングに、前記レバーを押圧操作可能に取付けると共に、前記レバーをロックするロック手段と、前記挟持部を押圧する押圧手段とを前記ハウジングに一体的に形成したことを特徴とする請求項１記載のコネクタ装置。
【発明の詳細な説明】
【０００１】
【発明の属する技術分野】
本発明は、コネクタ装置に係り、特にプリント配線基板等を挿入して使用するプリント配線基板用コネクタ装置の構造に関する。
【０００２】
【従来の技術】
従来のプリント配線基板用コネクタ装置の構造としては、複数の接触端子が配設されたハウジングに、挿入されるプリント配線基板を挟持して、ハウジングに回動可能に設けられたレバーの回転に伴って、プリント配線基板の導体パターンを押圧して接触端子に接触（圧接）させる構成のものが知られている（例えば、特許文献１参照）。
【０００３】
以下、従来のプリント配線基板用コネクタ装置の構造を図に基づいて説明する。
図９及び図１０は従来のプリント配線基板用コネクタ装置の構造を示し、図９はコネクタ装置の斜視図、図１０は同じく断面図である。
【０００４】
図において、５１は絶縁材料からなるハウジングで上方に向けて開口部を有し、この開口部に複数の接触端子５３が配設されている。また、ハウジング５１の両側部にはレバー（加圧部材）５７を回動可能に支持する回動支持部を有する保持部５２が設けられている。
【０００５】
前記接触端子５３は、導電性の金属板材から形成され、Ｕ字状の接触フィンガー部５４と、腕状部の先端に設けられた回動案内部５５と、連結部５６とから形成されている。連結部５６にはハウジング５１の外方に突出する接続部５６Ａが設けられており、また、接触フィンガー部５４の先端には突起状に接触部５４Ａが形成されている。また、回動案内部５５の中心５５Ａとハウジング１の回動支持部の中心とは同一直線上に位置するようになっている。
【０００６】
ハウジング５１の開口部には、回動可能にレバー５７が設けられており、レバー５７は、加圧部６０を有し、この加圧部６０の上面には、一連の接触端子５３の回動案内部５５と係合する円弧部を有する回動被案内部６１が形成されている。回動案内部５５は櫛歯状に配列されて軸状をなし、この回動案内部５５にレバー５７の回動被案内部６１が回動案内されてレバー５７が回動されるものとなっている。
【０００７】
レバー５７は可動被案内部６１と対向する下面に、２つの隣接平坦面の移行部により加圧突部６２が形成されており、レバー５７が軸部及び回動被案内部６１にて案内されて閉位置に向け下方に回動した際に、ハウジング５１の支持部５１Ｂ及び接触端子５３の接触部５４Ａの２点にて支持されているプリント配線基板Ｆをこの２点間で上方から加圧突部６２が加圧するようになっている。
【０００８】
プリント配線基板Ｆを挿入する際、レバー５７を下方に向けて閉位置まで回動すると、レバー５７の加圧突部６２がプリント配線基板Ｆに当接し、接触端子５３の接触部５４Ａとハウジング５１の支持部５１Ｂの２点間を加圧する。その結果、プリント配線基板Ｆは弾性変形を生じ当接圧をもって接触部５４Ａと接触することになる。
【０００９】
【特許文献１】
特許第２８１４４４７号公報
【００１０】
【発明が解決しようとする課題】
しかしながら、上述した従来のプリント配線基板用コネクタ装置の構造においては、ハウジング５１にプリント配線基板Ｆを挿入する側の開口を覆うように、レバー５７を回動させて加圧突部６２でプリント配線基板Ｆを挟持する構成にしてあることから、プリント配線基板Ｆを挟持した状態でプリント配線基板Ｆを持ち上げる方向に動かすと、レバー５７が解除する（持ち上がる）方向へ回動してプリント配線基板Ｆがハウジング５１から外れてしまうという問題があった。
また、レバー５７の回動エリア内には、他の部品の配置ができないことから、実装場所に制約を受けて設計の自由度が制限されるという問題があった。
【００１１】
したがって、本発明では上述した問題点を解決し、プリント配線基板を挿着した状態でプリント配線基板を持ち上げても外れることがなく、実装場所に制約を受けることがなく設計の自由度が向上されるコネクタ装置を提供することを目的とする。
【００１２】
【課題を解決するための手段】
上記課題を解決するために本発明では第１の手段として、開口部を有するハウジングと、このハウジングの開口部に配設され、挿入されるプリント配線基板の導体パターンに接触する弾性接触部を有する接触端子と、前記プリント配線基板の導体パターンを前記弾性接触部に押圧して前記プリント配線基板を前記ハウジング内に挟持する挟持部を有するレバーと、弾性力を有し前記挟持部に押圧力を付与する押圧手段とを備え、前記レバーは、一端側に前記挟持部が設けられると共に、他端側にロック部が形成され、前記レバーが押圧操作されて前記ロック部がロックされるのに伴って、前記挟持部が前記押圧手段に当接し、前記挟持部が前記押圧手段の押圧力に抗する方向に移動することにより前記挟持部が前記プリント配線基板を押圧して前記ハウジング内に挟持するようにしたことを特徴とする。
【００１３】
また、第２の手段として、前記接触端子と前記押圧手段は、一体の金属板材で形成され、前記接触端子を構成する一方のアーム部の自由端側に前記弾性接触部を形成し、前記押圧手段を構成する他方のアーム部の自由端側に前記レバーの挟持部を押圧する押圧部を形成すると共に、基部側に前記レバーをロックするロック部を形成したことを特徴とする。
【００１４】
また、第３の手段として、前記押圧部は、弾性を有する前記他方のアーム部の自由端側に形成された傾斜面からなり、前記レバーの挟持部には円弧面が形成され、前記挟持部の円弧面が前記押圧部の傾斜面を摺動することにより前記挟持部が前記プリント配線基板を押圧して前記ハウジング内に挟持するようにしたことを特徴とする。
【００１５】
また、第４の手段として、前記ハウジングに、前記レバーを押圧操作可能に取付けると共に、前記レバーをロックするロック手段と、前記挟持部を押圧する押圧手段とを前記ハウジングに一体的に形成したことを特徴とする。
【００１６】
【発明の実施の形態】
以下、本発明の一実施例を図１乃至図８に示す。図１はコネクタ装置の分解斜視図、図２はコネクタ装置の全体斜視図、図３はコネクタ装置の初期状態の断面図、図４は初期状態のハウジングとレバーの仮止め部分を示す部分断面図、図５はレバーの動作途中を示す断面図、図６はレバーの動作途中のハウジングとレバーの仮止め部分を示す部分断面図、図７はレバーがロックされた状態を示す断面図、図８はレバーがロックされた状態のハウジングとレバーの仮止め部分を示す部分断面図である。
【００１７】
図において、ハウジング１は、合成樹脂などの絶縁材で上面が開口されて開口部１ａが形成されている。このハウジング１の両側部には側壁部１ｂが設けられており、この両側壁部１ｂ、１ｂとの間に平板状の基台部１ｃが形成されている。また、前記側壁部１ｂの上面には、後述するレバー４の両端側に設けられた支軸部４ｂが挿入され、レバー４の動作時に支軸部４ｂを摺動ガイドするガイド溝部１ｄが形成されている。また、前記側壁部１ｂの一端側の内側面には、凸状の突部１ｅに囲まれた凹状の溝からなる係止溝１ｆが形成されている。この係止溝１ｆに、後述するレバー４の係止突部４ｃが係止されレバー４が仮止めされるものとなっている。
【００１８】
また、前記ハウジング１の基台部１ｃの後端側には立壁部１ｇが形成されており、この立壁部１ｇと前記基台部１ｃには、複数の接触端子２、３が千鳥状に対向して配設されたものとなっている。
【００１９】
前記接触端子２は、導電性の金属板材からなり、お互いに対向されたアーム部２ａ、２ｂを有する略Ｕ字状に形成されている。前記接触端子２をＵ字状に形成することにより、前記アーム部２ａ、２ｂに弾性力が発生するものとなっている。また、前記接触端子２は、前記アーム部２ａ、２ｂが前記開口部１ａの前記基台部１ｃ上に延設された状態で前記立壁部１ｇに固着されたものとなっている。
【００２０】
一方の前記アーム部２ａの自由端側には、挿入されるプリント配線基板５の導体パターン（図示せず）に接触する弾性接触部２ｃが形成されている。また、他方の前記アーム部２ｂの自由端側には、上方へ開口する傾斜面からなる押圧部２ｄが形成されており、この押圧部２ｄが後述するレバー４の挟持部４ｆを押圧するものとなり、この他方の前記アーム部２ｂが押圧手段を構成している。
【００２１】
このように、前記接触端子２の弾性接触部２ｃと、押圧手段である前記押圧部２ｄとが、金属板材で一体的に形成されているので、簡単な構造で前記接触端子２と押圧手段である前記押圧部２ｄに、確実に弾性力を付与することができると共に、部品構成を簡略化して作業性の向上が図れ、ローコスト化が可能となっている。
【００２２】
また、他方の前記アーム部２ｂの基部側には、凸状の突起からなるロック部２ｅが形成されており、このロック部２ｅと後述するレバー４の他端側に設けられたロック部４ｇとが係合されることにより、レバー４がロック位置にロックされるものとなっている。また、前記接触端子２の後端側には、外部へ導出する端子部２ｆが設けられている。
【００２３】
前記接触端子３は、同じく導電性の金属板材から棒状に形成されており、その自由端側には、挿入されるプリント配線基板５の導電パターン（図示せず）に接触する弾性接触部３ａが設けられ、基部側には外部へ導出する端子部３ｂが設けられている。前記接触端子３は、基部側が前記ハウジング１の基台部１ｃの前記立壁部１ｇとは対向する側に固着されて、その自由端側が前記開口部１ａ内へ延設され、前記接触端子２の弾性接触部３ａとは千鳥状に対向された状態で配設されている。
【００２４】
レバー４は、合成樹脂などの絶縁材で長尺状に形成されており、前記ハウジング１の開口部を覆うように前記ハウジング１の上に取り付けられている。このレバー４の上板部４ａは、平坦状に形成されており、コネクタ装置の実装時には、この平坦面である上板部４ａが組立自動機の吸着部として使用されるものとなっている。
【００２５】
また、前記レバー４の両側部の一端側には、前記ハウジング１の両側壁部１ｂのガイド溝部１ｄに摺動ガイドされる支軸部４ｂが突出した状態で形成されている。また、前記支軸部４ｂが形成された側と対向した他端側の両側部には、前記ハウジング１の両側壁部１ｂの内側面に形成された、凹状の前記係止溝１ｆに係合されて前記レバー４が前記ハウジング１に仮止めされる係止突部４ｃが同じく突出した状態で形成されている。
【００２６】
また、図１及び図３に示すように、前記レバー４の中央には、複数のスリット溝４ｄ、４ｅが形成されている。このスリット溝４ｄ、４ｅが、前記ハウジング１の開口部１ａ内に延設された、前記接触端子２の他方の前記アーム部２ｂに適宜挿入された状態で、前記レバー４が前記ハウジング１の開口部１ａ上に取り付けられている。
【００２７】
また、前記レバー４の一端側で前記スリット溝４ｄの基部には、断面が丸円状からなる挟持部４ｆが形成されている。また、この挟持部４ｆは、前記接触端子２の他方の前記アーム部２ｂの自由端側に形成された傾斜面からなる前記押圧部２ｄに当接されるものとなっている。この当接面は円弧状に形成されており、この円弧面が前記押圧部２ｄの傾斜面を摺動することにより前記挟持部４ｆの下端がプリント配線基板５を押圧して前記接触端子２の一方の前記アーム部２ａの弾性接触部２ｃ間に挟持するようになっている。
【００２８】
また、前記レバー４の他端側で前記スリット溝４ｅの基部には、断面が角状の突起部からなるロック部４ｇが形成されている。前記レバー４が下方に押圧操作された際、前記ロック部４ｇが他方の前記アーム部２ｂの凸状の突起からなる前記ロック部２ｅと係合されることにより、前記レバー４がロック位置にロックされるものとなっている。
【００２９】
次に、図３乃至図８で上記構成のコネクタ装置の動作について説明する。
まず、図３及び図４に示す初期の状態（製品納入時の状態）では、前記レバー４は前記ハウジング１に仮止めされた状態となっている。この時、前記レバー４の支軸部４ｂと反対側の両側部に形成された突状の前記係止突部４ｃが、前記ハウジング１の両側壁部１ｂの内側面に形成された凹状の前記係止溝１ｆに係合されており、レバー４はハウジング１に回動が規制された状態で保持されたものとなっている。
【００３０】
この時、前記レバー４の上板部４ａは平坦状に形成されているので、コネクタ装置を電子機器などの基板上へ実装させる場合には、組立自動機などにより前記レバー４の上板部４ａを吸着してチャッキングすることにより容易に組み込むことができるものとなっている。
【００３１】
また、この状態においては、前記レバー４の挟持部４ｆは、前記接続端子２の他方のアーム部２ｂの自由端側に形成された前記押圧部２ｄには当接されているが、前記押圧部２ｄの傾斜面を摺動していないため、下方への押圧力は付与されない状態となっている。従って、この状態で前記ハウジング１の開口部１ａ内への、プリント配線基板５の挿着が可能になっている。
【００３２】
このように、前記レバー４が前記ハウジング１の仮止め部に仮止め固定された状態で前記ハウジング１の開口部１ａ内へのプリント配線基板５の挿着が可能になっていることから、コネクタ装置を基板上へ実装した後、前記ハウジング１の開口部１ａ内へプリント配線基板５などを挿着する場合においても、前記レバー４を一旦持ち上げる必要がないため、実装時における作業性の向上が図れるものとなっている。
【００３３】
この状態から、図５及び図６に示すように、前記レバー４の支軸部４ｂと反対側の先端側を下方へ押圧すると、図６に示すように前記レバー４の前記係止突部４ｃが前記係止溝１ｆから外れ、前記レバー４の前記スリット溝４ｅの基部に設けられた角状の突起部からなる前記ロック部４ｇが、他方の前記アーム部２ｂの凸状の突起からなる前記ロック部２ｅの斜面に沿って右下方に移動することとなる。
【００３４】
この時、前記レバー４の支軸部４ｂ側の前記スリット溝４ｄの基部に設けられた前記挟持部４ｆが、前記接触端子２の他方の前記アーム部２ｂの自由端側に形成された前記押圧部２ｄの傾斜面に沿って摺動され右下方へ移動されるものとなる。この時、前記挟持部４ｆが前記押圧部２ｄの傾斜面を摺動することにより、前記挟持部４ｆの下端が、プリント配線基板５を押圧して前記接触端子２の一方の前記アーム部２ａの弾性接触部２ｃ間に挟持するようになっている。
この時、前記接触端子２は、前記一対のアーム部２ａ及び２ｂをＵ字状に対向させて形成することにより弾発力が発生するようにしていることから、確実な挟持力が得られるものとなっている。
【００３５】
このように、前記押圧部２ｄを、弾性を有する他方の前記アーム部２ｂの自由端側に形成された傾斜面で構成して、前記レバー４の挟持部４ｆには円弧面を形成し、前記挟持部４ｆの円弧面が前記押圧部２ｄの傾斜面を摺動することにより、前記挟持部４ｆがプリント配線基板５を押圧して前記ハウジング１内に挟持するようにしてあるので、前記押圧部２ｄの弾発力がロスなく確実に前記レバー４の挟持部４ｆに伝達されるため、前記挟持部４ｆがプリント配線基板５を挟持する力が強化され強固な挟持が可能となっており、また、摺動がスムーズに行われるので操作性も向上されるものとなっている。
【００３６】
この状態から、図７及び図８に示すように、更に前記レバー４の支軸部４ｂと反対側の先端側を下方へ押し下げると、図８に示すように前記レバー４の前記係止突部４ｃが前記係止溝１ｆから更に外れ、前記レバー４の前記スリット溝４ｅの基部に設けられた角状の突起部からなる前記ロック部４ｇが、他方の前記アーム部２ｂの凸状の突起からなる前記ロック部２ｅと係合してロックされるものとなり、これに伴って前記レバー４の挟持部４ｆと前記接触端子２の弾性接触片２ｃとの間にプリント配線基板５を確実に挟持するものとなっている。
【００３７】
上記実施例においては、前記レバー４をロックするロック手段として、前記レバー４の前記スリット４ｅの基部に設けられた角状の突起部からなる前記ロック部４ｇと、前記接触端子２の他方の前記アーム部２ｂの基部側に設けられた凸状の突起からなる前記ロック部２ｅとにより構成したが、本発明はこれに限定されるものではなく、前記接触端子２に設けられた前記ロック部２ｅを前記ハウジング１の立壁部１ｇなどに設けるようにしてもよい。
【００３８】
また、前記レバー４の挟持部４ｆを押圧する押圧手段として、前記接触端子２の他方の前記アーム部２ｂの自由端側に設けられた傾斜面からなる前記押圧部２ｄにより構成したが、前記アーム部２ｂの自由端側に設けられた前記押圧部２ｄを前記ハウジングの立壁部１ｇなどに設けるようにしてもよい。
このようにした場合には、前記レバー４との摺動及び係合が成形材同士となることから操作性が向上されると共に、前記接触端子２の形状がシンプル化されるのでローコスト化が図れるものとなる。
【００３９】
上記した実施例によれば、前記レバー４の、その一端側に前記挟持部４ｆを設けると共に、その他端側に前記ロック部４ｇを形成し、前記レバー４が押圧操作されて前記ロック部４ｇがロックされるのに伴って、前記挟持部４ｆが押圧手段である前記アーム部２ｂの押圧部２ｄに当接して、前記挟持部４ｆが押圧手段の押圧力に抗する方向に移動することにより前記挟持部４ｆがプリント配線基板５を押圧して前記ハウジング１内に挟持するようにしてあるので、プリント配線基板５が前記ハウジング１内に挟持された状態でプリント配線基板５を持ち上げる方向に荷重が加わったとしても、前記レバー４の前記ロック部４ｇは、前記挟持部４ｆとは反対側の他端側に形成されているので、前記ロック部４ｇに前記レバー４が解除する方向の力が掛からないため、プリント配線基板５が前記ハウジング１から外れるのを防止することができるものとなっている。
また、前記レバー４がほとんど回動しない構造となっているため、コネクタ装置の実装場所に制約を受けずに、設計の自由度が増加するものとなっている。
【００４０】
【発明の効果】
以上説明したように、本発明のコネクタ装置は、開口部を有するハウジングと、このハウジングの開口部に配設され、挿入されるプリント配線基板の導体パターンに接触する弾性接触部を有する接触端子と、プリント配線基板の導体パターンを弾性接触部に押圧してプリント配線基板をハウジング内に挟持する挟持部を有するレバーと、弾性力を有し挟持部に押圧力を付与する押圧手段とを備え、レバーは、一端側に挟持部が設けられると共に、他端側にロック部が形成され、レバーが押圧操作されてロック部がロックされるのに伴って、挟持部が押圧手段に当接し、挟持部が押圧手段の押圧力に抗する方向に移動することにより挟持部がプリント配線基板を押圧してハウジング内に挟持するようにしたことから、プリント配線基板がハウジング内に挟持された状態でプリント配線基板を持ち上げる方向に荷重が加わったとしても、レバーのロック部は挟持部とは反対側の他端側に形成されているので、ロック部にレバーが解除する方向の力が掛からないため、プリント配線基板がハウジングから外れるのを防止することができる。また、レバーがほとんど回動しないため実装場所に制約を受けず設計の自由度が増加する。
【００４１】
また、接触端子と押圧手段は、一体の金属板材で形成され、接触端子を構成する一方のアーム部の自由端側に弾性接触部を形成し、押圧手段を構成する他方のアーム部の自由端側にレバーの挟持部を押圧する押圧部を形成すると共に、基部側にレバーをロックするロック部を形成したことから、簡単な構造で接触端子と押圧手段に確実に弾性力を付与することができると共に、部品構成を簡略化して作業性の向上やローコスト化が可能となる。
【００４２】
また、押圧部は、弾性を有する他方のアーム部の自由端側に形成された傾斜面からなり、レバーの挟持部には円弧面が形成され、挟持部の円弧面が押圧部の傾斜面を摺動することにより挟持部がプリント配線基板を押圧してハウジング内に挟持するようにしたことから、押圧部の弾発力がロスなく確実にレバーの挟持部に伝達されるので、挟持部がプリント配線基板を挟持する力が強化され強固な挟持が可能となると共に、操作性が向上する。
【００４３】
また、ハウジングに、レバーを押圧操作可能に取付けると共に、レバーをロックするロック手段と、挟持部を押圧する押圧手段とをハウジングに一体的に形成した場合においては、レバーとの摺動及び係合が成形材同士となることから操作性が向上されると共に、接触端子の形状がシンプル化されるのでローコスト化が図れる。
【図面の簡単な説明】
【図１】本発明の一実施例であるコネクタ装置を示す分解斜視図である。
【図２】本発明の同じくコネクタ装置を示す全体斜視図である。
【図３】本発明の同じくコネクタ装置の初期状態を示す断面図である。
【図４】本発明のコネクタ装置の初期状態のハウジングとレバーの仮止め部分を示す部分断面図である。
【図５】本発明のコネクタ装置のレバーの動作途中を示す断面図である。
【図６】本発明のコネクタ装置のレバーの動作途中のハウジングとレバーの仮止め部分を示す部分断面図である。
【図７】本発明のコネクタ装置のレバーがロックされた状態を示す断面図である。
【図８】本発明のコネクタ装置のレバーがロックされた状態のハウジングとレバーの仮止め部分を示す部分断面図である。
【図９】従来のコネクタ装置を示す全体斜視図である。
【図１０】従来のコネクタ装置を示す断面図である。
【符号の説明】
１  ハウジング
１ａ  開口部
１ｂ  側壁部
１ｃ  基台部
１ｄ  ガイド溝部
１ｅ  突部
１ｆ  係止溝
１ｇ  立壁部
２  接触端子
２ａ  アーム部
２ｂ  アーム部（押圧手段）
２ｃ  弾性接触片
２ｄ  押圧部（押圧手段）
２ｅ  ロック部（ロック手段）
２ｆ  端子部
３  接触端子
３ａ  弾性接触片
３ｂ  端子部
４  レバー
４ａ  上板部
４ｂ  支軸部
４ｃ  係止突部
４ｄ  スリット溝
４ｅ  スリット溝
４ｆ  挟持部
４ｇ  ロック部（ロック手段）
５  プリント配線基板
【図１】
2004235115.tif 000003
【図２】
2004235115.tif 000004
【図３】
2004235115.tif 000005
【図４】
2004235115.tif 000006
【図５】
2004235115.tif 000007
【図６】
2004235115.tif 000008
【図７】
2004235115.tif 000009
【図８】
2004235115.tif 000010
【図９】
2004235115.tif 000011
【図１０】
2004235115.tif 000012